(57)【特許請求の範囲】
【請求項１】
引金を尾端部に有するハウジングと、撃針を装備して前記ハウジングに軸線方向可動に嵌装された保持ブロックと、尾端に薬室を有し銃腔にピストンを内包して前記保持ブロックと一体に軸線方向可動に前記ハウジングに装入された銃身とを具え、前記保持ブロックと銃身とを一体に後退させて前記引金を操作することにより前記撃針を作動させ、前記薬室の空包を撃発して前記ピストンを駆動しその前方の前記銃腔内に装填した鋲を目的物に打込む鋲打銃であって、
前記銃身は前記保持ブロックと結合分離可能且つ前記ハウジングに先端から出し入れ可能とされており、そして前記薬室は空包を装填して尾端面をシール部材によって水密とされているとともに、前記銃腔は鋲を装填して先端面をシール部材によって水密とされている、
ことを特徴とする水中作業用鋲打銃。
【請求項２】
前記シール部材が防水性フイルムであり、前記尾端面および先端面に貼着されている請求項１に記載した水中作業用鋲打銃。
【請求項３】
前記尾端側のシール部材が前記空包を外側周面に密着して保持した内筒部と前記銃身の尾端部外側周面に嵌装する外筒部とを有する合成樹脂成形品であり、前記銃身の尾端に密に装着されている請求項１に記載した水中作業用鋲打銃。
【請求項４】
前記先端側のシール部材がカップ状に形成され、前記銃身の先端に前記銃腔を覆ってかぶせられている請求項１に記載した水中作業用鋲打銃。
【発明の詳細な説明】
【０００１】
【発明の属する技術分野】
本発明は水中で金属やコンクリートの構造物などの表面に部材を止め着けるために使用される鋲打銃に関するものである。
【０００２】
【従来の技術】
金属やコンクリートの構造物などの表面に部材を重ね、火薬の爆発ガス圧力を利用してこれらに鋲を打込むことにより部材を止め着ける技術は周知であり、そのために使用される鋲打銃は沈没船の引揚げのため船腹の孔を鋼板で塞ぐことを目的としたものが始祖とされている。
【０００３】
一方、Ｈ形鋼、鋼管、鋼管矢板、鋼矢板などの鋼材が埋め立て地や河川の土止め壁、港湾の桟橋、橋脚などの多くの分野で使用されている。これらの海洋環境や河川環境で使用される鋼材は、海水や河川水にさらされるので防食を施すのが一般であり、防食手段として有機樹脂層を被覆することが多く用いられている。
【０００４】
即ち、下地処理を施した鋼材表面に有機樹脂を下塗りし、その上に塗料やポリエチレンなどからなる所望厚さの有機樹脂層を設けて防食被覆とするものであり、重防食塗装または樹脂ライニング法として知られている技術である。
【０００５】
前記の防食被覆は界面での密着力が経年的に低下するのを避けることができず、特に海水や河川水にさらされる環境にあっては、水流や波浪の力を受けやすい場所に置かれると密着力の低下が促進され、遂には剥離して防食機能を失なうに至る、という心配がある。
【０００６】
その対策として、鋼材に被覆されている有機樹脂層の上に板部材を重ね、板部材と有機樹脂層とを貫通して鋼材内部に達する固着具を用いてこれらを互いに密着させることにより防食被覆を補強することが考えられる。
【０００７】
前記の対策は、構築前に工場或いは施工現場で施すことができるが、構築後に水中で施すこともあり、殊に既存の構築物に対しては水中で補強作業を行なわねばならない。水中での作業は簡単且つ迅速に行なわれることが要求され、そのためには前述の鋲打銃を水中に持ち込んで板部材の上から固着具である鋲を打込む、という方法が有利である。
【０００８】
【発明が解決しようとする課題】
ところが、水中で使用される鋲打銃は鋲が発射されるまで水密とする必要があり、銃身先端を塞ぐほかに水の浸入を防止する防水手段が採られているが、発射により銃身先端および尾端の防水手段が破られて薬室や銃腔に水が充満するため、発射を終ると水上に引き揚げて水を抜き、空包と鋲とを装填して防水手段を施した後に再び水中に持ち込む、という手順を一回の発射毎に繰返さなければならない。
【０００９】
従って、鋲を打込むこと自体は簡単且つ迅速に行なえるが、一回の発射毎に前記の手順を繰返すことは著しく非能率であり、また能率向上を計るため多数台の鋲打銃を準備しておくのは工費やメンテナンスの面で不利である。
【００１０】
そこで、本発明は鋼材の表面に有機樹脂層からなる防食被覆が設けられている水中構造物に対して、有機樹脂層の上に板部材を重ねて押さえつけることにより補強を行なうこと、その他の水中での鋲打込み作業にあたって、一回の発射毎に鋲打銃を水上に引き揚げなければならないという不便さを解消することを課題としてなされたものであり、水中に持ち込んだまま多数回の鋲打込みを行なうことを可能とすることを目的とする。
【００１１】
【課題を解決するための手段】
本発明は引金を尾端部に有するハウジングと、撃針を装備してハウジングに軸線方向可動に嵌装された保持ブロックと、尾端に薬室を有し銃腔にピストンを内包して保持ブロックと一体に軸線方向可動にハウジングに装入された銃身とを具えており、保持ブロックと銃身とを一体に後退させて引金を操作することにより撃針を作動させ、薬室の空包を撃発してピストンを駆動しその前方の銃腔内に装填した鋲を目的物に打込む、というよく知られた鋲打銃を水中作業に適用するため次のようにした。
【００１２】
即ち、銃身を保持ブロックと結合分離可能且つハウジングに先端から出し入れ可能とし、そして薬室は空包を装填して尾端面をシール部材によって水密とするとともに、銃腔は鋲を装填して先端面をシール部材によって水密とした。
【００１３】
このように、銃身を空包と鋲とを装填してそのまま打込み可能としたうえで水密化したことにより、空包の火薬に水が接触して爆発不能となる不都合が回避される。そして、ハウジングに先端から出し入れできる交換可能なカートリッジ構造としたことにより、その多数個を準備して水中に持ち込み、順次交換して能率よく多数回の鋲打込みを行なわせる、という目的が達成されるものである。
【００１４】
シール部材としては防水性フイルムを用いて尾端面および先端面に貼着すること、或いは先端面のシール部材をカップ状に形成して銃身にかぶせることが簡便である。しかし、尾端側のシール部材として空包の外側周面を囲んで密着する内筒部と銃身尾端部外側周面に嵌装する外筒部とを有する合成樹脂成形品を用いて銃身尾端に密に装着すると、空包部分の水密性が更に向上する。
【００１５】
【発明の実施の形態】
図面を参照して本発明の実施の形態を説明すると、先端面を開放した円筒状のハウジング１の基端に手で握り持つのに適した形状に作られたグリップ２がねじ３によって固結されているとともに、押ばね４によって前進位置に保持された撃発筒５と指掛け式の引金６とがハウジング１の基端部に設けられている。
【００１６】
また、撃針７を前後方向可動に保持した撃針ホルダ８を基端部に嵌装した保持ブロック９がハウジング１に前後方向、即ち軸線方向へ可動に嵌装されており、その前方へ延びる筒状部９ａの先端に設けた鍔９ｂとハウジング１の内周周面に形成した環突条１ａとの間に戻しばね１０が装入されており、この戻しばね１０は保持ブロック９をその外周段部９ｃが環突条１ａに接した最大前進位置である不作動位置に置いている。更に、保持ブロック９の基端にヨーク１１が回動可能に取り付けられており、その後方へ向いた先端は撃発筒５の先端面に接触している。
【００１７】
銃身１２は基端側が筒状部９ａにほぼ密に嵌込まれる外径とされているとともに先端側がそれよりも少し小さい外径とされており、空包１７を嵌装した薬室１３を有する空包ホルダ１４が銃身１２の一部としてその基端にねじ嵌合により結合されている。銃身１２の銃腔１５はピストン１６と鋲１８とを内包しており、ピストン１６を嵌装した基端側の大径腔部１５ａとピストン１６の前方へ延びるピストンロッド１６ａおよび鋲１８を嵌装した先端側の小径腔部１５ｂとからなる。
【００１８】
図１，図２の形態において、銃身１２の尾端面と先端面とは防水性フイルムからなるシール部材１９，２０によって水密に封止されている。防水性フイルムは一般に合成樹脂フイルム、防水紙、薄肉ゴム板など薄く容易に破ることができる材料を用いるのが好適であり、尾端側のシール部材１９は平板状に形成されて空包１７のフランジを覆って空包ホルダ１４の尾端面に重ねられ、接着剤により貼着されている。また、先端側のシール部材２０は浅いカップ状に形成されて銃身１２の先端に銃腔１５を覆ってかぶせられ、必要により接着剤により貼着されている。
【００１９】
もっとも、先端側のシール部材２０も尾端側のものと同様の平板状に形成して銃身１２の先端面に銃腔１５を覆って重ね、接着剤により貼着してもよい。
【００２０】
前述のように、空包１７および鋲１８を装填した銃身１２の尾端面と先端面とをシール部材１９，２０で水密に封止した本実施の形態のものは、薬室１３と空包１７との隙間および銃腔１５の先端のいずれからも水が入ることがなく、そのまま水中に持ち込んでも空包１７の火薬に水が接触して爆発不能となる不都合を生じない。また、この銃身１２はハウジング１に先端から出し入れでき、且つ筒状部９ａに基端部を完全に嵌込んで図１に示す状態とすることにより撃針７が空包１７を撃発することができる。
【００２１】
従って、作業にあたって一台のハウジング１とカートリッジ構造とした銃身１２の多数個とを水中に持ち込み、銃身１２を順次交換して多数回の鋲打込みを連続的に行なうことができる。尚、ハウジング１は水密構造でないため内部に水が充満するが、撃発筒４や保持ブロック９の軸線方向動作、引金６の操作に支障を与えることはなく、また筒状部９ａに入った水は銃身１２の嵌込みの際にそれらの僅かな隙間から排出される。
【００２２】
また、本実施の形態の鋲打銃は従来のものと同じ操作手順で鋲１８を発射することができる。即ち、銃身１２の先端面を目的物の表面に重ねて接触させ、ハウジング１を前方へ向かって戻しばね１０を圧縮しながら押すと、銃身１２と保持ブロック９とは一体となって相対的にハウジング１に押込まれ、ハウジング１の先端面と銃身１２の先端面とが一致したときヨーク１１が引金６に係合する。
【００２３】
この状態となったとき引金６を引くとヨーク１１が回動して後退させていた撃発筒５から外れ、解放された撃発筒５は押ばね４のばね力で一挙に前進して撃針７を作動させ、空包１７を撃発して爆発ガス圧力でピストン１６を駆動し、鋲１８を目的物に打込むものである。打込みを終って銃身１２を目的物から離すと、戻しばね１０のばね力で保持ブロック９と銃身１２は図１の位置に戻る。
【００２４】
図３は銃身１２の尾端側に設けられるシール部材２１の異なる実施の形態を示すものであって、空包１７をその外側周面に密着して保持した内筒部２１ａと、銃身１２の一部である空包ホルダ１４の尾端部外側周面に嵌装する外筒部２１ｂと、それらの間に形成されて空包ホルダ１４の尾端面に重ねた環状板部２１ｃとからなるゴムまたは合成樹脂の成形品である。従って、薬室１３は空包１７の先端部と内筒部２１ａとを受入れる形状に作られ、殊に内筒部２１ａは圧入されて圧縮状態で銃身１２の尾端に密に装着されている。
【００２５】
この実施の形態によると、空包１７の基端のフランジが露出しているが水に触れても支障のない部分であり、水が入って火薬を濡らす心配のある先端は高い信頼性をもった水密とされる。
【００２６】
【発明の効果】
以上のように、空包と鋲とを装填して水密化した銃身とし、これをハウジングに出し入れして交換可能なカートリッジ構造とした本発明によると、多数個の銃身を水中に持ち込むことにより一回の打込み毎に水上に引き揚げることなく多数回の打込みを連続的に行なうことができ、工費やメンテナンスが軽減されるとともに作業能率の向上が計れるものである。
【図面の簡単な説明】
【図１】本発明の実施の形態を示す縦断面図。
【図２】図１の形態における銃身の一部切截した側面図。
【図３】本発明の異なる実施の形態を示す縦断面部分図。
【符号の説明】
１  ハウジング，  ５  撃発筒，  ６  引金，  ７  撃針，  ９  保持ブロック，  １１  ヨーク，  １２  銃身，  １３  薬室，  １５  銃腔，  １６  ピストン，  １７  空包，  １８  鋲，  １９，２０，２１  シール部材，
【図１】
0003747992.tif 000002
【図２】
0003747992.tif 000003
【図３】
0003747992.tif 000004